(57)【要約】【課題】壁面材を円筒形型枠に接合する作業を簡単にする。【解決手段】複数の波付鋼板パネル１、１’を円周方向および高さ方向に接合した円筒形型枠１０を間隔をあけて配置し、その内部に中詰め材を充填し、隣接する円筒形型枠１０間に壁面材１４を架け渡し、背面に土砂を裏込めした土留め構造であり、壁面材１４を取り付ける波付鋼板パネル１の円周方向端部のフランジ５を、高さ方向端部のフランジ３より外側に延出させて壁面材取付部５ｂとする。この壁面材取付部５ｂに壁面材１４を接合する。別部材の壁面材取付け用プレートをフランジ４、４間に挟み込む従来構造と異なり、その挟み込み作業が不要となる。また、円筒形型枠１０の直径サイズがプレート厚み分だけ大となることがないので、当該箇所の波付鋼板パネルの長さをプレート厚み分だけ短くする微調整が不要となる。【選択図】図８
2009041242.tif 000002
【特許請求の範囲】
【請求項１】
円弧状の複数の波付鋼板パネルを円周方向および高さ方向に接合した円筒形型枠を法面の幅方向に間隔をあけて設置し、その内部に中詰め材を充填し、隣接する円筒形型枠間に湾曲した壁面材を架け渡し、背面に土砂を裏込めした土留め構造において、
前記壁面材を取り付ける円筒形型枠における波付鋼板パネルの円周方向端部のフランジを、高さ方向端部のフランジより外側に延出させて壁面材取付部としたことを特徴とする土留め構造。
【請求項２】
請求項１に記載した土留め構造に使用する波付鋼板パネルであって、
円弧状に湾曲した波付け面部の波付け方向である高さ方向の両端に、端部を直角に折り曲げて形成したフランジを備え、波付け方向と直交する円周方向の両端に、プレートを溶接固定して形成したフランジを備えており、円周方向の一端側のフランジが、高さ方向両端のフランジより外側に延出させて形成した壁面材取付部を備えていることを特徴とする波付鋼板パネル。
【請求項３】
請求項１に記載した土留め構造に使用する波付鋼板パネルであって、
円弧状に湾曲した波付け面部の波付け方向である高さ方向の両端に、端部を直角に折り曲げて形成したフランジを備え、波付け方向と直交する円周方向の両端に、プレートを溶接固定して形成したフランジを備えており、円周方向の両端のフランジがいずれも、高さ方向両端のフランジより外側に延出させて形成した壁面材取付部を備えていることを特徴とする波付鋼板パネル。
【請求項４】
前記壁面材と接合するすべての波付鋼板パネルが請求項２に記載した波付鋼板パネルであることを特徴とする請求項１記載の土留め構造。
【請求項５】
前記壁面材取付部及び壁面材にそれぞれボルト挿通穴が形成され、波付鋼板パネルと壁面材とが両ボルト挿通穴を通したボルト及びナットによって接合されていることを特徴とする請求項１記載の土留め構造。
【発明の詳細な説明】
【技術分野】
【０００１】
この発明は、法面に構築される土留め構造、及びこれに使用する波付鋼板パネルに関する。
【背景技術】
【０００２】
法面に構築される土留め構造として、円弧状の複数の波付鋼板パネルを円周方向および高さ方向に接合した円筒形型枠を法面の幅方向に間隔をあけて設置し、その内部にコンクリートを充填し、隣接する円筒形型枠間に湾曲した壁面材を架け渡し、背面に土砂を裏込めした土留め構造が従来から知られている（特許文献１）。
特許文献１では、コンクリートを充填した円筒形型枠の部分が雪崩・落石防護柵を施工する際の柵柱のコンクリート基礎とされているが、壁面材（堰板）を円筒形型枠間に架け渡しその背面に土砂を裏込めする施工法であり、この雪崩・落石防護柵の下部構造（柵柱を除く部分）が土留め構造として機能している。
【０００３】
特許文献１において図示された実施例は、波付鋼板パネルが、周辺にフランジを持たない単なる波付鋼板（いわゆるコルゲートシート）の場合であるが、壁面材と円筒形型枠における波付鋼板パネルとの接合は、壁面材の両端部に溶接固定したアングル材を、波付鋼板パネルどうしの重ね合わせ部と一緒にボルト締めすることにより行っている。
【０００４】
また、波付鋼板パネルとして、周辺にフランジを持つ波付鋼板パネルを用いる場合は、隣接する波付鋼板パネルの円周方向端部のフランジ間に壁面材取付け用プレートを挟み込みボルトとナットで固定し、この壁面材取付け用プレートと壁面材の端部に固定した耳板とをボルトで接合するのが、従来の接合方法である。
【特許文献１】特開平９−１８４１１６  雪崩・落石防護柵施工方法および雪崩・落石防護柵
【発明の開示】
【発明が解決しようとする課題】
【０００５】
特許文献１中の実施例における、壁面材の波付鋼板パネルへの接合手段は、壁面材の両端にアングル材を溶接固定して行うものであるが、波付鋼板パネルが周辺にフランジを持つ波付鋼板パネルである場合の接合手段としては必ずしも適切でない。
【０００６】
また、波付鋼板パネルが周辺にフランジを持つ波付鋼板パネルである場合において、隣接する波付鋼板パネルの円周方向端部のフランジ間に壁面材取付け用プレートを挟み込んでボルトとナットで固定する従来の接合方式は、別部材の壁面材取付け用プレートをフランジ間に固定する作業が煩雑である。
また、この方式は、円筒形型枠の直径サイズとの関係で若干不都合が生じる。すなわち、円周方向端部のフランジ間に壁面材取付け用プレートを挟み込むと、円筒形型枠の円周長さが壁面材取付け用プレートの厚み分だけ長くなり、円筒形型枠の直径サイズが大となる。これを避けるためには、壁面材取付け用プレートを挟み込む箇所の波付鋼板パネルについては、その長さ（円周方向長さ）をプレート厚み分だけ短くする微調整が必要であり、煩雑である。
なお、プレート厚み分だけ短くせずに円筒形型枠を組み立てることは当然できるが、波付鋼板パネルで組み立てる円筒形型枠の直径の種類（称呼径）は標準化されているので、僅かであっても直径が変化することは好ましくない。
【０００７】
本発明は上記事情に鑑みてなされたもので、周辺にフランジを持つ波付鋼板パネルを組み立てた円筒形型枠、及び壁面材を用いて土留め構造を構築する際に、壁面材の波付鋼板パネルへの接合の作業性が良好で、かつ、使用する波付鋼板パネルの長さの微調整が必要となることのない土留め構造、及び波付鋼板パネルを提供することを目的とする。
【課題を解決するための手段】
【０００８】
上記課題を解決する請求項１の発明は、円弧状の複数の波付鋼板パネルを円周方向および高さ方向に接合した円筒形型枠を法面の幅方向に間隔をあけて設置し、その内部に中詰め材を充填し、隣接する円筒形型枠間に湾曲した壁面材を架け渡し、背面に土砂を裏込めした土留め構造において、
前記壁面材を取り付ける円筒形型枠における波付鋼板パネルの円周方向端部のフランジを、高さ方向端部のフランジより外側に延出させて壁面材取付部としたことを特徴とする。
【０００９】
請求項２の発明は、請求項１に記載した土留め構造に使用する波付鋼板パネルであって、円弧状に湾曲した波付け面部の波付け方向である高さ方向の両端に、端部を直角に折り曲げて形成したフランジを備え、波付け方向と直交する円周方向の両端に、プレートを溶接固定して形成したフランジを備えており、円周方向の一端側のフランジが、高さ方向両端のフランジより外側に延出させて形成した壁面材取付部を備えていることを特徴とする。
【００１０】
請求項３の発明は、請求項１に記載した土留め構造に使用する波付鋼板パネルであって、円弧状に湾曲した波付け面部の波付け方向である高さ方向の両端に、端部を直角に折り曲げて形成したフランジを備え、波付け方向と直交する円周方向の両端に、プレートを溶接固定して形成したフランジを備えており、円周方向の両端のフランジがいずれも、高さ方向両端のフランジより外側に延出させて形成した壁面材取付部を備えていることを特徴とする。
【００１１】
請求項４は、請求項１の土留め構造において、壁面材と接合するすべての波付鋼板パネルが請求項２に記載した波付鋼板パネルであることを特徴とする。
【００１２】
請求項５は、請求項１の土留め構造において、壁面材取付部及び壁面材にそれぞれボルト挿通穴が形成され、波付鋼板パネルと壁面材とが両ボルト挿通穴を通したボルト及びナットによって接合されていることを特徴とする。
【発明の効果】
【００１３】
本発明によれば、波付鋼板パネルの円周方向端部のフランジ自体に壁面材取付部が形成されているので、現場で別部材の壁面材取付け用プレートをフランジ間に挟み込む作業が必要な従来構造と比べて、プレート挟み込み作業が不要となり、施工性が大幅に向上する。
【００１４】
また、フランジ間に別部材の壁面材取付け用プレートを挟み込む従来構造では、円筒形型枠の円周長さが壁面材取付け用プレートの厚み分だけ長くなり、円筒形型枠の直径サイズが大となるので、当該箇所の波付鋼板パネルの長さ（円周方向長さ）をプレート厚み分だけ短くする微調整が必要であるが、本発明ではフランジ自体に壁面材取付部が形成されており別部材のプレートを挟み込まないので、円筒形型枠の円周長さが長くなることはない。したがって、波付鋼板パネルの円周方向長さを若干短くする煩雑な微調整は不要である。本発明では、円周方向端部に溶接固定すべきプレートの幅寸法が変わるだけであり、両端部のフランジがいずれも延出部（壁面材取付部）を持たない通常の波付鋼板パネルの製造工程に変更を要することはほとんどなく、波付鋼板パネルの製造コストが増すことも殆どない。
【発明を実施するための最良の形態】
【００１５】
以下、本発明の土留め構造及びこれに使用する波付鋼板パネルの実施例を、図１〜図１０を参照して説明する。
【実施例１】
【００１６】
図１は本発明の土留め構造に使用する一実施例の波付鋼板パネル１の斜視図、図２は同平面図、図３は同正面図、図４は同右側面図、図５は図２のＡ−Ａ拡大断面図、図６は図２のＢ−Ｂ拡大断面図である。
これらの図に示すように、この波付鋼板パネル１は、円弧状に湾曲した波付け面部２の波付け方向である高さ方向の両端に、端部を直角に折り曲げて形成したフランジ３、３を備え、波付け方向と直交する円周方向の両端に、プレートを溶接固定して形成したフランジ４、５を備えている。円周方向の両端部のフランジ４、５のうちの一方のフランジ４は、一般的な波付鋼板パネルにおける円周方向端部のフランジと同様に高さ方向端部のフランジ３より僅かに外側に延出（図２、図６に延出長さをｍで示す）しているのみであるが、他方のフランジ５は、高さ方向両端のフランジ３より外側に大きく延出（図２、図５に延出長さをｎで示す）させて形成した壁面材取付部５ｂを備えている。概ね延出長さｎで示す部分が壁面材取付部５ｂである。
高さ方向両端のフランジ３には上下の波付鋼板パネルどうしをボルト接合するためボルト挿通穴３ａをあけ、円周方向両端のフランジ４、５には円周方向の波付鋼板パネルどうしをボルト接合するためボルト挿通穴４ａ、５ａをあけている。４ｃ、５ｃは水抜き穴である。
円周方向の他方のフランジ５には、前述したように外側に延出する壁面材取付部５ｂが形成されているが、この壁面材取付部５ｂに、後述する壁面材１４をボルト接合するためのボルト挿通穴５ｄをあけている。
【００１７】
上記の波付鋼板パネル１を用いて土留め構造を構築する一実施例を、図７〜図１０を参照して説明する。この場合、上記の波付鋼板パネル１と、図７、図８に符号１’で示した波付鋼板パネルのように、円周方向の両端のフランジ４、４がいずれも外側に僅かしか突出していない一般的な波付鋼板パネル１’とを用いる。
【００１８】
まず、法尻を若干掘削して地盤を整え、法面の幅方向に間隔をあげて円筒形型枠１０を設置する。この円筒形型枠１０は、複数の波付鋼板パネルを円周方向及び高さ方向に接合して組み立てる。実施例では、円周方向には４枚の波付鋼板パネルを用いて円形に組み立てるが、その際、図８に示すように、２枚の上記波付鋼板パネル１を正面及びその片側に配し、通常の波付鋼板パネル１’を他側及び背面に配して組み立てる。円周方向の波付鋼板パネルどうしの接合は円周方向端部のフランジどうし（４と５又は４と４）をボルト挿通穴（４ａ、５ａ又は４ａ、４ａ）にてボルト接合して行い、高さ方向の波付鋼板パネルどうしの接合は高さ方向端部のフランジ３どうしをボルト挿通穴（３ａ、３ａ）においてボルト接合して行う。
次いで、円筒形型枠１０内から法面地盤にアンカー１１を打ち込み、円筒形型枠１０内にコンクリート１２を打設してコンクリート柱１３を形成し、隣接する円筒形型枠１０間に円弧状の壁面材１４を架け渡す。次いで、前記壁面材１４および円筒形型枠１０と切り土法面との間の隙間に土砂を裏込めして土留め擁壁としての土留め構造２１が構築される。図９は円筒形型枠１０内のコンクリート１２や法面や土砂の図示を省略して示した土留め構造２１の要部の斜視図である。なお、実施例では図９に示すように円筒形型枠１０（コンクリート柱１３）を直立して設置しているが、法面にもたれさせて設置することも可能である。
【００１９】
壁面材１４として種々のものを使用できるが、例えば、細長い矩形状のエキスパンドメタル１５の上縁部及び左右縁部に枠板を溶接固定し、図７に示すように全体として円弧状に湾曲させたものを用いることができる。この場合、壁面材１４の左右の枠板に、前記波付鋼板パネル１の壁面材取付部５ｂにボルト接合するためのボルト挿通穴をあけた耳板１８を溶接固定するとよい。
【００２０】
壁面材１４を円筒形型枠１０間に掛け渡すに際して、壁面材１４の端部の耳板１８を、円筒形型枠１０における正面の波付鋼板パネル１の両端部分に接合するが、その場合、正面の波付鋼板パネル１の図８で右側のフランジ５の壁面材取付部５ｂ、又はその左側の波付鋼板パネル１の右側のフランジ５の壁面材取付部５ｂに、当該円筒形型枠１０の左右の壁面材１４の耳板１８がそれぞれ接合される。その接合は、耳板１８のボルト挿通穴と壁面材取付部５ｂのボルト挿通穴５ｄにボルトを通しナットを螺合させ締付けて接合する。
【００２１】
上記の通り、波付鋼板パネル１の円周方向端部のフランジ５自体に壁面材取付部５ｂが形成されているので、現場で別部材の壁面材取付け用プレートをフランジ間に挟み込む作業が必要な従来構造と比べて、煩雑なプレート挟み込み作業が不要となり、施工性が大幅に向上する。
また、フランジ間に別部材の壁面材取付け用プレートを挟み込む従来構造では、円筒形型枠の円周長さが壁面材取付け用プレートの厚み分だけ長くなり、円筒形型枠の直径サイズが大となるので、当該箇所の波付鋼板パネルの長さ（円周方向長さ）をプレート厚み分だけ短くする微調整が必要である。しかし、本発明の上記波付鋼板パネル１では、別部材のプレートを挟み込まないので、円筒形型枠の円周長さが長くなることはない。したがって、波付鋼板パネルの円周方向長さを若干短くする煩雑な微調整は不要である。本発明では、円周方向端部に溶接固定すべきプレート（フランジ５）の幅寸法が変わるだけであり、両端部のフランジがいずれも延出部（壁面材取付部）を持たない通常の波付鋼板パネル１’の製造工程に変更を要することはほとんどなく、波付鋼板パネルの製造コストが増すことも殆どない。
【実施例２】
【００２２】
図１０に本発明の他の実施例を示す。この実施例で用いる波付鋼板パネル１Ａは、図１０（イ）のように、円周方向の両端のフランジ５、５がいずれも、高さ方向両端のフランジ３より外側に延出させて形成した壁面材取付部５ｂを備えている。
この場合、図１０（ロ）に示すように、この波付鋼板パネル１Ａを、円筒形型枠１０Ａの円形を形成する４枚の波付鋼板パネルのうちの正面の波付鋼板パネルとして用い、他の３枚の波付鋼板パネルは、外側に僅かしか延出していないフランジ４を両端に持つ一般的な波付鋼板パネル１’を用いる。壁面材１４の耳板１８は、正面の波付鋼板パネル１Ａの両端のフランジ５の壁面材取付部５ｂに接合する。
【００２３】
この実施例では、フランジ５の幅寸法が異なるだけではあるが特別仕様の波付鋼板パネル１Ａが４枚のうちの１枚だけで済むので、波付鋼板パネルの製造工程が若干簡便となる。
【００２４】
実施例では土留め擁壁として構築する土留め構造について説明したが、特許文献１のような雪崩・落石防護柵における下部構造（防護柵を除く部分を指す）を始め、種々の土留め構造に適用することができる。
【図面の簡単な説明】
【００２５】
【図１】本発明の土留め構造に用いる波付鋼板パネルの一実施例を示す斜視図である。
【図２】上記波付鋼板パネルの平面図である。
【図３】上記波付鋼板パネルの正面図である。
【図４】上記波付鋼板パネルの右側面図である。
【図５】図２のＡ−Ａ拡大断面図である。
【図６】図２のＢ−Ｂ拡大断面図である。
【図７】上記波付鋼板パネルを用いて構築した本発明の一実施例の土留め構造の平面図である。
【図８】図７の一部を拡大した図である。
【図９】上記土留め構造の斜視図である。
【図１０】（イ）は波付鋼板パネルの他の実施例を示す平面図、（ロ）はこの波付鋼板パネルを用いた場合の土留め構造の平面図である。
【符号の説明】
【００２６】
１  （本発明一実施例の）波付鋼板パネル
１’（一般的な）波付鋼板パネル
２  波付け面部
３  フランジ
４  （円周方向端部の）フランジ
５  （円周方向端部の）フランジ
５ａ  （フランジどうしの接合用の）ボルト挿通穴
５ｂ  壁面材取付部
５ｄ  （壁面材取付用の）ボルト挿通穴
１０  円筒形型枠
１２  コンクリート
１３  コンクリート柱
１４  壁面材
１５  エキスパンドメタル
１８  耳板
２１  土留め構造
【図１】
2009041242.tif 000003
【図２】
2009041242.tif 000004
【図３】
2009041242.tif 000005
【図４】
2009041242.tif 000006
【図５】
2009041242.tif 000007
【図６】
2009041242.tif 000008
【図７】
2009041242.tif 000009
【図８】
2009041242.tif 000010
【図９】
2009041242.tif 000011
【図１０】
2009041242.tif 000012